(57)【特許請求の範囲】
【請求項１】
集合玄関に設置され、撮像手段を有する集合玄関機と、各住戸の玄関に設置され、撮像手段を有するドアホンと、各住戸内に設置される住宅情報盤とを備えて構成され、前記集合玄関機および前記ドアホンから前記住宅情報盤に対して訪問者の呼出があるときに、それぞれの機器で撮像された前記訪問者の映像を録画する画像録画部および該画像録画部で録画された画像を再生表示する表示部を前記住宅情報盤が備えてなるインターホンシステムにおいて、
前記画像録画部で録画される録画画像を、前記撮像手段のある場所情報を付加して記憶する記憶手段と、
前記画像録画部で録画される録画画像を前記撮像手段がある場所毎に区別して前記表示部に再生する再生手段と、
前記記憶手段に記憶された録画画像を前記撮像手段がある場所毎に区別して一括消去可能な一括消去部と、を備えることを特徴とするインターホンシステム。
【請求項２】
集合玄関に設置されている集合玄関機と、各住戸の玄関に設置されるドアホンと、各住戸内に設置される住宅情報盤とを備えて構成され、前記集合玄関機および前記ドアホンから前記住宅情報盤に対して訪問者の呼出があるときに、それぞれの機器で撮像された前記訪問者の映像を録画する画像録画部および該画像録画部で録画された画像を再生表示する表示部を前記住宅情報盤が備えてなるインターホンシステムにおいて、
前記集合玄関機から呼出があるときに撮像された録画画像を記憶する集合玄関用画像記憶部と、
前記ドアホンから呼出があるときに撮像された録画画像を記憶するドアホン用画像記憶部と、
前記集合玄関用画像記憶部と、前記ドアホン用画像記憶部のいずれかに記憶された画像を一括して消去可能な一括消去部とを設け、
前記録画画像を再生するとき、前記集合玄関用画像記憶部に記憶された録画画像または前記ドアホン用画像記憶部に記憶された録画画像のいずれを前記表示部に表示させるかを選択する選択画面を前記表示部に表示させることを特徴とするインターホンシステム。
【発明の詳細な説明】
【技術分野】
【０００１】
本発明は、集合住宅に設置されるインターホンシステムに関し、より詳しくは集合玄関に設置されている集合玄関機と、各住戸の玄関に設置されるドアホンと、各住戸内に設置される住宅情報盤とを備えてなるインターホンシステムに関する。
【背景技術】
【０００２】
マンションなどの集合住宅に設けられるインターホンシステムは、各住戸に設置した住宅情報盤と、管理員室に設置した管理室親機と、集合玄関に設置した集合玄関機とを備えて構成され、それぞれの機器間でインターホン通話ができるシステムになっている。
また、住宅情報盤には、各住戸の玄関先に設置されているドアホンが接続され、これらの間でもインターホン通話をすることができる。
【０００３】
このような集合住宅用のインターホンシステムにおいては、訪問者が、集合玄関機またはドアホンから各住戸の住宅情報盤を呼び出し、住戸内の居住者とインターホン通話を行う。そして、集合玄関機またはドアホンから各住戸の住宅情報盤が呼出されたときには、訪問者を撮像してその映像を住宅情報盤側で録画できるようになっている。
【０００４】
インターホンシステムにおける録画画像は、撮像した時系列順で住宅情報盤の記憶部に記憶されていく。このため、録画画像を再生するときには、時系列順に再生していくことになる。このような集合住宅用のインターホンシステムとしては、例えば特許文献１に開示された「集合住宅インターホンシステム」がある。
【先行技術文献】
【特許文献】
【０００５】
【特許文献１】特開２００２−３３８３８号公報
【発明の概要】
【発明が解決しようとする課題】
【０００６】
集合住宅においては、ドアホンで撮像される訪問者は、集合住宅のオートドアを通過できる人物であるので、同じ集合住宅に住む人か、管理員に許可を得た宅配業者の可能性が高い。一方、集合玄関機で撮像される訪問者としては、外部の不特定多数の人間であって、押売とか自分にあまり関係のない人物の可能性が高い。このため、外出した後、録画画像を確認する場合には、まず、ドアホンで撮像された画像だけを確認したいという要望がある。
ところが、上記背景技術では、録画画像の記憶部に、ドアホンで撮像された訪問者の画像、および集合玄関機で撮像された訪問者の画像が時系列順に混在して記憶されてしまう。このため、外出から帰ってきた居住者が、録画画像の再生をする際、ドアホンで録画された録画画像だけを確認したい場合であっても、時系列順に録画されていることから、ドアホンで撮像した来客確認用の画像に集合玄関機で撮像した来客確認用の画像がところどころ挿入されてしまい、ドアホンにおける来客のみを確認しにくいという問題があった。
【０００７】
本発明は、上記事由に鑑みてなされたものであり、その目的は、撮像場所の異なる撮像手段による録画画像を区別して再生することができる録画機能付のインターホンシステムを提供することにある。
【課題を解決するための手段】
【０００８】
本発明に係るインターホンシステムは、集合玄関に設置され、撮像手段を有する集合玄関機と、各住戸の玄関に設置され、撮像手段を有するドアホンと、各住戸内に設置される住宅情報盤とを備えて構成され、集合玄関機およびドアホンから住宅情報盤に対して訪問者の呼出があるときに、それぞれの機器で撮像された訪問者の映像を録画する画像録画部および画像録画部で録画された画像を再生表示する表示部を住宅情報盤が備えてなるインターホンシステムにおいて、画像録画部で録画される録画画像を、撮像手段のある場所情報を付加して記憶する記憶手段と、画像録画部で録画される録画画像を撮像手段がある場所毎に区別して表示部に再生する再生手段と、記憶手段に記憶された録画画像を撮像手段がある場所毎に区別して一括消去可能な一括消去部と、を備えることを特徴とするものである。
【発明の効果】
【０００９】
本発明によれば、集合玄関機のカメラで撮像する録画画像と、ドアホンのカメラで撮像する録画画像とを区別して記憶部に記憶させるようにしたので、再生表示においては、ドアホンで撮像された録画画像だけ、または集合玄関機で撮像された録画画像だけを選択して表示部に表示して訪問者を確認することができる。
【図面の簡単な説明】
【００１０】
【図１】本発明の一実施の形態に係るインターホンシステムに用いるドアホンと住宅情報盤のブロック図である。
【図２】本発明の一実施の形態に係るインターホンシステムの全体構成を説明する説明図である。
【図３】本発明の一実施の形態に係るインターホンシステムの表示例を示す説明図である。
【発明を実施するための形態】
【００１１】
本発明の一実施の形態に係るインターホンシステム１を図１乃至図３に基づいて説明する。
まず、システムの全体構成を図２に基づいて説明する。本実施の形態のインターホンシステム１は、各住戸に設置した住宅情報盤３と、管理員室に設置した管理室親機５と、集合玄関に設置した集合玄関機７を備えて構成され、それぞれの機器が制御装置９を介して制御信号線、通話線（音声線）及び映像線で接続されてインターホン通話ができるようになっている。また、住宅情報盤３には、各住戸の玄関先に設置されているドアホン１１が接続され、これらの間でもインターホン通話をすることができるようになっている。集合玄関機７およびドアホン１１は、いずれも撮像手段としてのカメラを有しており、住戸の居住者を呼び出す際には、訪問者を撮像できるように構成されている。
【００１２】
次に、図１に基づいて住宅情報盤３及びドアホン１１について説明する。図１に示すように、ドアホン１１は住宅情報盤３と映像線Ｌ１及び通話線Ｌ２を介して接続されている。  また、ドアホン１１は、訪問者を撮像するカメラ１３、カメラ１３の映像信号を変調して住宅情報盤３側に映像線Ｌ１を介して出力する変調回路１５を備えている。また、訪問者が押す呼出釦１７、呼出釦１７の動作を電気信号に変換する呼出回路１９、スピーカ及びマイク（図示なし）を有し音声信号を通話線Ｌ２を介して出力する通話回路２１を備えている。
【００１３】
住宅情報盤３は、映像線Ｌ１及び通話線Ｌ２を介してドアホン１１と接続されると共に制御信号線、映像線及び通話線を介して制御装置９と接続されている。また、住宅情報盤３は、復調回路２３、電源供給回路２５、タイマー機能を備えた画像録画部２７、画像再生部２９、記憶部３１、顔認証部３３、画像消去部３５、モニタ３７、呼出検出回路３９、通話切換回路４１、マイク４３及びスピーカ４５を有する通話回路４７、送受信部４９、映像切換回路５１、制御部５３を備えている。以下、各部の詳細を説明する。
【００１４】
＜復調回路＞
復調回路２３は、ドアホン側の変調回路１５で変調された映像信号を復調するものであり、復調された映像がモニタ３７に表示される。
＜電源供給回路＞
電源供給回路２５は、図示しない商用電源が接続されており、ドアホン１１の呼出釦１７が押された際に、ドアホン１１側に映像線Ｌ１を介して電源を供給する。
【００１５】
＜画像録画部＞
画像録画部２７は、復調回路２３に接続され、静止画を録画する。画像録画部２７は、図示しないＡ／Ｄ変換器、画像圧縮回路などから構成され、ドアホン１１のカメラ１３または集合玄関機７のカメラ（図示なし）が撮像した静止画をＪＰＥＧ方式などで圧縮して記憶部３１のドアホン用画像記憶部３１ａまたは集合玄関用画像記憶部３１ｂに保存する。
この画像録画部２７は、ドアホン１１または集合玄関機７から呼出がある時に起動され、通話の有無に係わらず、画像を録画する。したがって、呼出があれば、その呼出に応答しない不在時の場合は勿論、在宅で、ハンドセットを上げたり、又は通話釦を押したりして、その呼出に応答する場合も録画を行う。
なお、ドアホン１１側の映像と集合玄関機７側の映像は映像切換回路５１によって切り換えられて画像録画部２７で録画される。
【００１６】
画像録画部２７による録画は、呼出があった時から所定時間が経過するまで所定の間隔で行われる。具体的には、呼出があった時から、例えば６秒間、１秒毎に画像を録画する。もっとも、呼出の操作がなされたと同時では、まだカメラ（ドアホン１１のカメラ１３又は集合玄関機７のカメラ）が起動していないので、例えば呼出後１秒経過してから、順次１秒周期で画像を録画して、合計５枚の画像を録画する。５枚の画像は、まとめて１件として扱い、記憶部３１に格納する。
画像録画部２７は、タイマー２８によるタイマー機能を備えており、呼出があった時点から時間を計測し、画像録画部２７はこのタイマー２８の時間により、６秒間が経過すると録画を停止する。もっとも、６秒間が経過する前に訪問者と居住者の通話が終了すると、その時点で録画を停止する。
画像録画部２７は、録画する際にタイマー２８の時間情報を画像と共に記憶する。これによって、記憶されている画像は録画された時間に基づいて読み出しが可能になっている。
また、画像録画部２７は、呼出ごとに記憶部３１に上記の複数の画像を格納し、記憶部３１の記憶容量が少なくなると、最も古いデータを削除して上書きして最新のものを優先して記憶する。
【００１７】
＜画像再生部＞
画像再生部２９は、図示しないＤ／Ａ変換器や画像伸長回路などから構成されており、図示しない再生釦の操作（再生操作）に伴い、記憶部３１に記憶されている複数枚の静止画を、順次、モニタ３７に再生する。具体的には、録画したタイミングと同じ状態で再生を行うのが望ましく、録画した静止画を１秒おきに１画面ずつ切り換えて表示する。
【００１８】
画像再生部２９により、録画画像を再生するとき、はじめに「選択画面」がモニタ３７に表示される（図３（ｂ）参照）。この選択画面は、集合玄関用画像記憶部３１ｂに記憶された録画画像、またはドアホン用画像記憶部３１ａに記憶された録画画像のいずれをモニタ３７に表示させるかを選択するための画面であり、例えば、モニタ３７には、（１）集合玄関の録画画像、（２）ドアホンの録画画像、（３）時系列による録画画像という３つの項目が表示されるようになっている。
「（１）集合玄関の録画画像」にカーソルを合わせて、図示しない操作部にある決定ボタンを押せば、集合玄関用画像記憶部３１ｂに記憶された録画画像だけが表示される。同様に、「（２）ドアホンの録画画像」にカーソルを合わせて、図示しない操作部にある決定ボタンを押せば、ドアホン用画像記憶部３１ａに記憶された録画画像だけが表示される（図３（ｃ）参照）。なお、「（３）時系列による録画画像」を選択した場合には、時系列順、つまりドアホン１１の録画画像と集合玄関機７の録画画像が混在した状態でモニタ３７に表示される。
【００１９】
＜記憶部＞
画像記憶部としての記憶部３１はフラッシュメモリなどから構成され、複数件、例えば２０件程度の画像を録画できる容量をもったものが使用される。
記憶部３１には、ドアホン１１のカメラ１３で撮像された映像を記憶するドアホン用画像記憶部３１ａと、集合玄関機７のカメラで撮像された映像を記憶する集合玄関用画像記憶部３１ｂを備えている。
集合玄関用画像記憶部３１ｂは、集合玄関機７から呼出があるときに、集合玄関機７の図示しないカメラで撮像された録画画像だけを記憶する。ドアホン用画像記憶部３１ａは、ドアホン１１から呼出があるときに、ドアホン１１のカメラ１３で撮像された録画画像だけを記憶する。集合玄関機７から呼出がかかるときには、送受信部４９を介して、呼出信号が入力され、ドアホン１１から呼出がかかるときには、呼出検出回路３９を介して、呼出信号が制御部５３に入力される。このため、制御部５３では、集合玄関機７からの呼出信号であるのか、ドアホン１１からの呼出信号であるのかを認識でき、それに基づいて、どちらの記憶部３１ａ，３１ｂに撮像手段の映像を記憶するかを決める。
【００２０】
＜モニタ＞
表示部としてのモニタ３７は、復調回路２３、画像再生部２９及び映像切換回路５１に接続されており、ドアホン１１のカメラ１３で撮像されている映像、集合玄関機７のカメラで撮像されている映像または画像再生部２９が記憶部３１から読み出した映像を表示する。
モニタ３７は、ドアホン１１または集合玄関機７から呼出があったときには、呼出があった方のカメラで撮像された映像を表示する。また、図示しない再生釦の操作があったときには、記憶部３１に記憶されている画像を表示する。なお、このようなモニタ３７における映像の切換えは、映像切換回路５１によって行われる。
【００２１】
＜呼出検出回路＞
呼出検出回路３９は、ドアホン１１の呼出釦１７が押されたことを検出する回路である。
【００２２】
＜通話切換回路＞
通話切換回路４１は、ドアホン１１の通話回路２１と通話線に接続され、住宅情報盤３で通話する相手としてドアホン１１と集合玄関機７とを切り換える。例えば、ドアホン１１の呼出釦１７が押されて、それが呼出検出回路３９で検出された場合には、ドアホン１１側の通話線Ｌ２と住宅情報盤３内の通話回路４７を接続してドアホン１１との通話を可能にする。他方、集合玄関機７の呼出釦が押されて、それが送受信部４９で検出された場合には、制御装置９に接続されている通話線（音声線）と住宅情報盤３内の通話回路４７を接続して集合玄関機７側との通話を可能にする。
【００２３】
＜通話回路＞
通話回路４７は、ドアホン１１の通話回路２１と同様に、マイク４３及びスピーカ４５が接続されており、呼出音や音声をスピーカ４５から出力し、また音声を、マイク４３を通じて入力する。
＜送受信部＞
送受信部４９は、制御信号線に接続されており、制御部５３と制御装置９との間の制御信号の送受信を行う。集合玄関機７からの呼出信号は、制御信号線を介して送信され、送受信部４９で受信される。
【００２４】
＜映像切換回路＞
映像切換回路５１は、映像アダプタ５５を介して映像線と接続されると共に、モニタ３７、画像録画部２７に接続されて、モニタ３７に表示する画像や画像録画部２７で録画する画像を、ドアホン１１側のものと集合玄関機７側のものとの間で切り換える。例えば、ドアホン１１から呼出があった場合には、ドアホン１１のカメラ１３で撮像された画像をモニタ３７に表示すると共にドアホン１１のカメラ１３で撮像されている画像を画像録画部２７で録画するように画像信号の流れを切り換える。他方、集合玄関機７から呼出があった場合には、集合玄関機７のカメラで撮像された画像をモニタ３７に表示すると共に集合玄関のカメラで撮像されている画像を画像録画部２７で録画するように画像信号の流れを切り換える。
【００２５】
＜制御部＞
制御部５３は、ＭＰＵなどから構成され、住宅情報盤３内の各機能を有する構成部（例えば送受信部４９等）に接続されて、各構成部と信号命令のやりとりをして各構成部を制御する。制御部５３は、記憶部３１に記憶（記録）された録画画像を読み出して、画像再生部２９を介してモニタ３７に表示させることができる。その際には、記憶部３１からドアホン１１で撮像された録画画像だけを読み出し、または記憶部３１から集合玄関機７で撮像された録画画像だけを読み出すことが可能である。つまり、この制御部５３と画像再生部２９により再生手段が構成され、また、モニタ３７に選択画面を表示させる手段を構成する。
なお、制御部５３には、一括消去部が設けられ、この消去部は、集合玄関用画像記憶部３１ｂまたはドアホン用画像記憶部３１ａに記憶された画像を一括して消去することが可能である。前述したように、集合玄関における来訪者は、居住者にとって重要な人でない可能性が高いことから、集合玄関用画像記憶部３１ｂに記憶された画像は一括消去しやすい。このように、自分にとって重要な人間関係にあるドアホン側で撮像された画像と、集合玄関で撮像された画像を分けて記憶することで、一括消去が可能となる。
【００２６】
集合玄関機７は、図示は省略しているがドアホン１１と同様に、訪問者を撮像するカメラ、カメラの映像信号を変調して住宅情報盤３側に制御装置９及び映像線を介して出力する変調回路、訪問者が押す呼出釦、呼出釦の動作を電気信号に変換する呼出回路、スピー
カ及びマイクを有し音声信号を制御装置９及び通話線を介して出力する通話回路、呼出釦が押されたときに呼出信号を出力する送受信部を備えている。
【００２７】
次に上記のように構成された本実施の形態に係るインターホンシステム１の動作を説明する。
【００２８】
集合玄関機での撮像：
集合玄関機７において、図示しないテンキーを操作して所望の住戸番号を入力し、呼出ボタンを押すと、制御装置９を介して呼出信号が出力される。集合玄関機７からの呼出信号は、送受信部４９で受信される。そうすると、制御部５３は、映像切換回路５１を集合玄関機７からの映像が入力するように切り換えて、集合玄関機７のカメラが撮像した映像をモニタ３７に表示させる。また、画像録画部２７は、そのモニタ３７に表示されている映像をそのまま録画し、集合玄関用画像記憶部３１ｂに記憶する。なお、録画した画像は、タイマー２８から読み込んだ時刻情報と共に集合玄関用画像記憶部３１ｂに記憶される。
【００２９】
ドアホンでの撮像：
ドアホン１１において、呼出釦１７を押すと、呼出回路１９を介して呼出信号が出力される。ドアホン１１からの呼出信号は、呼出検出回路３９で受信される。そうすると、制御部５３は、映像切換回路５１をドアホン１１からの映像が入力するように切り換えて、ドアホン１１のカメラが撮像した映像をモニタ３７に表示させる。また、画像録画部２７は、そのモニタ３７に表示されている映像をそのまま録画し、ドアホン用画像記憶部３１ａに記憶する。なお、録画した画像は、タイマー２８から読み込んだ時刻情報と共にドアホン用画像記憶部３１ａに記憶される。
なお、画像録画部２７による録画時間は、集合玄関機７、ドアホン１１いずれの場合も、最大で数秒間とし、その設定された数秒間が経過する前に通話が終了すればその時点で録画も終了する。
【００３０】
再生表示：
住戸の居住者が外出から戻って、録画された画像を確認する場合について説明する。
録画画像を確認する場合には、まず、住宅情報盤３の図示しない操作部にあるメニュー釦を操作して、メニュー画面をモニタ３７に表示させる（図３（ａ）参照）。そして、録画画像を再生する画面をモニタ３７に表示させるために、メニュー画面において、「（２）録画画像の再生」にカーソルを合わせ、図示しない決定釦を押す。これにより、モニタ３７には、制御部５３により、図３（ｂ）の「選択画面」がモニタ３７に表示される。
この選択画面には、（１）集合玄関の録画画像、（２）ドアホンの録画画像、（３）時系列による録画画像という３つの項目が表示される。集合玄関機７で撮像された画像を確認したい場合には、「（１）集合玄関の録画画像」にカーソルを合わせて、図示しない操作部にある決定ボタンを押す。そうすると、集合玄関用画像記憶部３１ｂに記憶された録画画像だけが表示される。
【００３１】
同様に、ドアホン１１で撮像された画像を確認したい場合には、「（２）ドアホンの録画画像」にカーソルを合わせて、図示しない操作部にある決定ボタンを押す。そうすると、ドアホン用画像記憶部３１ａに記憶された録画画像だけが表示される（図３（ｃ）参照）。個々で図示しない頁送りキー（上下キー）を操作すれば、現在表示している録画画像の直前にドアホンにて録画された画像が表示される。またはメモリにある一番古いドアホンにおける録画画像が表示される。
なお、特に、ドアホン、集合玄関といった撮像場所にこだわらず、時系列順に録画された内容を確認したい場合には、「（３）時系列による録画画像」を選択する。そうすると、時系列順、つまりドアホン１１の録画画像と集合玄関機７の録画画像とが混在した状態でモニタ３７に表示される。記憶部３１に記憶される録画画像は、タイマ２８によって録画された時刻が記憶されているので、その録画時刻情報に基づいて、ドアホン用画像記憶部３１ａ、集合玄関用画像記憶部３１ｂから録画画像を読み出して、モニタ３７に表示する。
【００３２】
以上のように、本実施の形態によれば、集合玄関機７のカメラで撮像する録画画像と、ドアホン１１のカメラで撮像する録画画像とを区別して記憶部３１に記憶させるようにしたので、モニタ３７への再生表示においては、ドアホン１１で撮像された録画画像だけ、または集合玄関機７で撮像された録画画像だけを選択してモニタ３７に表示して訪問者を確認することが可能となる。
【００３３】
本発明では、画像記憶部は、集合玄関用とドアホン用とをそれぞれ備えるように説明したが、これらは物理的に２つ備えている必要はない。ドアホンで撮像した画像なのか、集合玄関機で撮像した撮像した画像なのかを識別できるような識別情報を付加して一つの記憶部に記憶させるようにしてもよい。即ち撮像手段のある場所情報を付加して録画画像を記憶部に記憶するようにする。
また、本発明では、画像録画部で録画される録画画像を撮像手段がある場所毎、つまり集合玄関とドアホン毎に区別して表示部に再生するものであるが、これは、ドアホンと集合玄関だけに限らない。例えば集合住宅の場合、集合玄関は、地下一階の駐車場と一階にそれぞれ設けられる場合がある。この場合には、地下一階に設置された集合玄関機で撮像した画像を記憶する記憶領域と、一階に設置された集合玄関機で撮像された画像を記憶する記憶領域を記憶部に設けるようにする。
【符号の説明】
【００３４】
１  インターホンシステム        ３  住宅情報盤      ５  管理室親機
７  集合玄関機                  ９  制御装置        １１  ドアホン
１３  カメラ                    １５  変調回路        １７  呼出釦
１９  呼出回路                  ２１  通話回路        ２３  復調回路
２５  電源供給回路              ２７  画像録画部      ２９  画像再生部
３１  記憶部                  ３１ａ  ドアホン用画像記憶部
３１ｂ  集合玄関機用画像記憶部
３７  モニタ
３９  呼出検出回路              ４１  通話切換回路    ４３  マイク
４５  スピーカ                  ４７  通話回路        ４９  送受信部
５１  映像切換回路              ５３  制御部          ５５  映像アダプタ
【図１】
0005480700.tif 000002
【図２】
0005480700.tif 000003
【図３】
0005480700.tif 000004